(57)【要約】      （修正有）【課題】食べこぼしによる洋服や床の汚染が圧倒的に少なく、食後の後片付けが楽になり、かさばらず、外出にも手軽に持ち運びができる子供＆介護用のエプロンを提供する。【解決手段】防水性の柔軟な素材を用い、スタイ型エプロンとランチョンマットを一体面に結合したような形に形成し、これをエプロンとして着用したと想定する。襟首部の左右から首後ろに回し掛ける首掛け部１を設け、首掛け部の左右の根元から脇にかけて腕通し部５を設け、左右の腕通し部の下端から脇腹へかけてゴム入りギャザー部２を設け、ゴム入りギャザー部から下端までの領域をランチョンマット域７とし、このランチョンマット域の裏側下端縁辺に滑り止め８を設け、首掛け部の先端域に左右が裏表関係になるように、面ファスナー３を設ける。また、ゴム入りギャザー部がある箇所のランチョンマット部を下方に押し、こぼし受けポケット部６を形成したことを特徴とする。【選択図】図１
0003191175.tif 000002
【実用新案登録請求の範囲】
【請求項１】
防水性の柔軟な素材を用い、スタイ型エプロンとランチョンマットを一体面に結合した形に形成し、これをエプロンとして着用したと想定し、襟首部の左右から首後ろに回し掛ける首掛け部を設け、首掛け部の左右の根元から脇にかけて腕通し部を設け、全体の外周及び腕通し部の全ての縁をバイアステープ等でパイピングして縁取り部を形成し、この縁取り部において、左右の腕通し部の下端から脇腹へかけてゴム入りギャザー部を設け、ゴム入りギャザー部から下端までの領域をランチョンマット域とし、このランチョンマット域の裏側下端縁辺に滑り止めを設け、首掛け部の先端域に左右が裏表関係になるように、面ファスナーを設け、ゴム入りギャザー部がある箇所のランチョンマット部を下方に押せば、自然にこぼし受けポケット部の凹みが形成されることを特徴とする子供＆介護用のエプロン。
【考案の詳細な説明】
【技術分野】
【０００１】  本考案は子供用や介護用に便利なエプロンに関するものである
【背景技術】
【０００２】  一般的に普及しているものとしては、スタイ型にポケットがついた食事エプロンが売られている。ナイロン生地や樹脂ＥＶ、プラスチックで作られているものが多い。その中でも代表的なエプロンとして、ベビービョルンのプラスチックで作られたスタイ型の食事エプロンが最も多く知られている（特許文献１参照）。また、エプロンの下端に吸盤をつける食事エプロンも売られている（特許文献２参照）。
【先行技術文献】
【特許文献】
【０００３】
【考案文献１】
特許公開２００３−３０１３１０号公報
【考案文献２】
特許公開２００６−１３８０５７号公報
【考案の既要】
【考案が解決しようとする課題】
【０００４】  文献１に示されているスタイ型の先行技術は、テーブルと子供までの距離に隙間が出来てしまう。ポケットを設けているが、子供とテーブルの間に隙間が出来てしまい、その隙間に固形物や汁ものが落ちてしまう可能性が高く、全ての食べこぼし、飲みこぼしをキャッチ出来ないため洋服や床が汚れてしまい、着替えや掃除をしなければならず、食後の片付けが面倒である。また、プラスチックで成型されているため収納に際して融通が利かず、かさばってしまい、持ち運びに不便である。文献２に示されている先行技術は、吸盤がついたエプロンだが、木製のテーブルに吸着せず不便である。また、表に吸盤の一部が見えるため子供が気になり遊んでしまい、食べることへの集中力を欠いてしまう場合がある。そして、スタイ型のエプロンとランチョンマットを一体化しただけで両サイドにガードするものが設けられていないため汁物が横漏れする可能性が高い。デザイン的にもスマートさに欠けオシャレではない。
本考案は以上の問題点を解決するためになされたものである。
【課題を解決するための手段】
【０００５】  防水性の柔軟な素材を用い、スタイ型エプロンとランチョンマットを一体面に結合したような形に形成し、これをエプロンとして着用したと想定する。襟首部の左右から首後ろに回し掛ける首掛け部を設け、首掛け部の左右の根元から脇にかけて腕通し部を設け、全体の外周及び腕通し部の全ての縁をバイアステープ等でパイピングして縁取りを形成し、この縁取り部において、左右の腕通し部の下端から脇腹へかけてゴム入りギャザー部を設け、ゴム入りギャザー部から下端までの領域をランチョンマット域とし、このランチョンマット域の裏側下端縁辺に滑り止めを設け、首掛け部の先端域に左右が裏表関係になるように、面ファスナーを設けた。
以上を特徴とする子供＆介護用のエプロンである。
【考案の効果】
【０００６】  スタイ型エプロンとランチョンマットを一体面に融合的に配設し、エプロン裾がテーブル上面に渡し架けられ仮固定されるので、テーブルと子供の身体との間に隙間がなくなり、テーブルにある食べ物から口に運ぶ動線上がエプロンで全てカバーされ、落としてもエプロンが食べこぼしを全てキャッチする。また、左右にゴム入りギャザー部を設けたことでマチができて、こぼし受けポケット部になるので、平面にこぼれ落ちるのと違って、汁物をこぼしても左右に汁ものがこぼれずキャッチできる。斯くして洋服や床をよごしてしまう事がかなりの程度で予防でき、面倒な着替えや片付けが減り楽になる。また、吸盤では子供が気になり食事に集中できないが、ランチョンマット部の裏面下端縁辺に滑り止めを設けることでずれ防止になるため、子供が少々動いてもお皿がひっくり返ることはない。そして木製テーブルでも吸着力を発揮できるため、エプロンがテーブルに仮固定され、エプロンとしての機能が最大限に発揮できる。
【図面の簡単な説明】
【０００７】
【図１】本考案の斜視図
【考案を実施するための形態】
【０００８】  以下、本考案の実施の形態を説明する。
防水性の柔軟な素材を用い、スタイ型エプロンとランチョンマットを一体面に結合したような形に形成し、これをエプロンとして着用したと想定する。襟首部（１）の左右から首後ろに回し掛ける首掛け部（４）を設け、首掛け部の左右の根元から脇にかけて腕通し部（５）を設け、全体の外周及び腕通し部の全ての縁をバイアステープ等でパイピングして縁取り部（９）を形成し、この縁取り部において、左右の腕通し部の下端から脇腹へかけてゴム入りギャザー部（２）を設け、ゴム入りギャザー部（２）から下端までの領域をランチョンマット域（７）とし、このランチョンマット域（７）の裏側下端縁辺に滑り止め（８）を設け、首掛け部（４）の先端域に左右が裏表関係になるように、面ファスナー（３）を設ける。また、ゴム入りギャザー部（２）がある箇所のランチョンマット部（７）を軽く下方に押せば、こぼし受けポケット部（６）が形成される。食べ物や食べこぼしの固形物をキャッチするのはもちろんのこと、飲みこぼしの汁物も扁平面と違って「溜まる」事が出来るので、横漏れを防ぎ全てキャッチ保持できるようになる。ラーメンやうどんが大好きな子供に汁系の食事を与えるのは躊躇しがちだが、このエプロンを使用することで汁も固形物も全てキャッチするので躊躇することなく与えられる。親の口出しが減るため子供が自由に食べられ自立にもつながる。また子供の身体からテーブルまでの隙間に渡し架けできるように、エプロンにランチョンマット部一体面に融合配設したような形に形成することにより、お皿から口までの動線に落ちた食べこぼしを全てキャッチすることができ、洋服、床、テーブルの汚しが大幅に軽減し食後の片付けも楽になる。
【符号の説明】
【０００９】（１）首掛け部
（２）ゴム入りギャザー部
（３）面ファスナー
（４）襟首部
（５）腕通し部
（６）こぼし受けポケット部
（７）ランチョンマット部
（８）滑り止め
（９）縁取り部
【図１】
0003191175.tif 000003